(57)【特許請求の範囲】
【請求項１】
無線通信で通信可能な情報処理装置と画像処理装置とを含む通信システムであって、
前記情報処理装置は、
前記情報処理装置に表示される第１の送信画面において、ユーザからの指示に基づき、データ送信のための宛先情報を設定する設定手段と、
前記画像処理装置と無線通信するための接続情報を前記画像処理装置から取得する取得手段と、
前記取得手段で取得した接続情報を用いて前記無線通信で前記画像処理装置に接続したことに応じて、前記設定手段により設定された前記宛先情報を前記無線通信で前記画像処理装置に送信する第１通信手段と、を有し、
前記画像処理装置は、
前記無線通信で前記情報処理装置と前記画像処理装置とが接続したことに応じて前記情報処理装置から送信された前記宛先情報を、前記無線通信で受信する第２通信手段と、
前記第２通信手段で前記宛先情報を受信した場合、前記画像処理装置におけるデータ送信の宛先を設定するための第２の送信画面を表示するとともに、当該受信した宛先情報に基づく宛先を前記第２の送信画面に設定して表示する表示手段と、
を有することを特徴とする通信システム。
【請求項２】
前記取得手段は、近接無線通信を用いて、前記画像処理装置から前記接続情報を取得し、前記第１通信手段は、前記取得手段で取得した前記接続情報を用いて前記画像処理装置との間で前記近接無線通信から前記無線通信にハンドオーバーして接続することを特徴とする請求項１に記載の通信システム。
【請求項３】
前記近接無線通信は、ＮＦＣによる通信であり、前記無線通信は無線ＬＡＮによる通信であることを特徴とする請求項２に記載の通信システム。
【請求項４】
前記取得手段は、２次元コードを用いて、前記画像処理装置から前記接続情報を取得することを特徴とする請求項１に記載の通信システム。
【請求項５】
前記取得手段は、Ｂｌｕｅｔｏｏｔｈによる通信を用いて、前記画像処理装置から前記接続情報を取得することを特徴とする請求項１に記載の通信システム。
【請求項６】
前記画像処理装置は、前記第２通信手段で前記宛先情報を受信した場合、前記第２の送信画面において既に設定済みの宛先を、前記受信した宛先情報に基づく宛先で上書きして設定するかどうかをユーザに選択させる選択手段を、更に有し、
前記表示手段は、前記選択手段で上書きして設定すると選択された場合に、当該受信した宛先情報に基づく宛先を前記第２の送信画面に設定して表示することを特徴とする請求項１に記載の通信システム。
【請求項７】
前記画像処理装置は、前記第２通信手段で前記宛先情報を受信した場合に、前記第２の送信画面を表示中であるか判定する判定手段を、更に有し、
前記表示手段は、前記第２の送信画面を表示中でないと前記判定手段で判定した場合は、前記第２の送信画面に自動的に遷移して、当該受信した宛先情報に基づく宛先を前記第２の送信画面に設定して表示する、ことを特徴とする請求項１に記載の通信システム。
【請求項８】
無線通信を利用可能な画像処理装置であって、
前記無線通信を介して前記画像処理装置に接続するための接続情報を、情報処理装置に送信する送信手段と、
前記情報処理装置がデータ送信のための宛先情報を設定し且つ前記接続情報を用いて前記無線通信で前記画像処理装置に接続したことに応じて前記情報処理装置から送信されてくる前記宛先情報を、前記無線通信で受信する通信手段と、
前記宛先情報を受信した場合、データ送信の宛先を設定するための送信画面を表示するとともに、当該受信した宛先情報に基づく宛先を当該送信画面に設定して表示する表示手段と、
を有することを特徴とする画像処理装置。
【請求項９】
前記送信手段は、ＮＦＣによる通信を用いて前記情報処理装置に前記接続情報を送信し、
前記通信手段における前記宛先情報の受信時に用いられる前記無線通信は、無線ＬＡＮによる通信であることを特徴とする請求項８に記載の画像処理装置。
【請求項１０】
前記送信手段は、Ｂｌｕｅｔｏｏｔｈによる通信を用いて前記情報処理装置に前記接続情報を送信し、
前記通信手段における前記宛先情報の受信時に用いられる前記無線通信は、無線ＬＡＮによる通信であることを特徴とする請求項８に記載の画像処理装置。
【請求項１１】
前記通信手段で前記宛先情報を受信した場合、前記送信画面において既に設定済みの宛先を、前記受信した宛先情報に基づく宛先で上書きして設定するかどうかをユーザに選択させる選択手段を、更に有し、
前記表示手段は、前記選択手段で上書きして設定すると選択された場合に、当該受信した宛先情報に基づく宛先を前記送信画面に設定して表示することを特徴とする請求項８乃至１０のいずれか１項に記載の画像処理装置。
【請求項１２】
前記通信手段で前記宛先情報を受信した場合に、前記送信画面を表示中であるか判定する判定手段を、更に有し、
前記表示手段は、前記送信画面を表示中でないと前記判定手段で判定した場合は、前記送信画面に自動的に遷移して、当該受信した宛先情報に基づく宛先を前記送信画面に設定して表示する、ことを特徴とする請求項８に記載の画像処理装置。
【請求項１３】
無線通信を利用可能な画像処理装置を制御する制御方法であって、
前記画像処理装置の送信手段が、前記無線通信を介して前記画像処理装置に接続するための接続情報を、情報処理装置に送信する送信工程と、
前記情報処理装置がデータ送信のための宛先情報を設定し且つ前記接続情報を用いて前記無線通信で前記画像処理装置に接続したことに応じて前記情報処理装置から送信されてくる前記宛先情報を、前記画像処理装置の受信手段が、前記無線通信で受信する受信工程と、
前記受信工程で前記宛先情報を受信した場合、前記画像処理装置の表示手段が、データ送信の宛先を設定するための送信画面を表示するととともに、当該受信した宛先情報に基づく宛先を当該送信画面に設定して表示する表示工程と、
を有することを特徴とする画像処理装置の制御方法。
【請求項１４】
コンピュータを、請求項８乃至１２のいずれか１項に記載の画像処理装置の各手段として機能させるためのプログラム。
【発明の詳細な説明】
【技術分野】
【０００１】
本発明は、通信システム、画像処理装置とその制御方法、及びプログラムに関するものである。
【背景技術】
【０００２】
近年、スキャン機能やプリント機能、コピー機能等を備えた複合機の発展に伴い、ＦＡＸ送受信機能、原稿を読み取って原稿画像を電子メールに添付して送信するＳＥＮＤ機能（データ送信）を有する複合機が登場している。このＳＥＮＤ機能では、複合機のアドレス帳に登録されているアドレス、或いはユーザが操作パネルを介して直接入力した宛先を、送信先として指定できる。
【０００３】
特許文献１は、セキュリティ目的で送信プロトコルの使用を制限する場合、アドレス帳に新規アドレスを登録する際に、使用が制限されている送信プロトコルに対応するアドレスを登録しないように制御する技術を記載している。
【先行技術文献】
【特許文献】
【０００４】
【特許文献１】特開２０１３−２４３５３８号公報
【発明の概要】
【発明が解決しようとする課題】
【０００５】
従来、複合機のＳＥＮＤ機能を利用する場合、ユーザは操作パネルを介して宛先を指定する必要があった。このとき、アドレス帳に登録されていないアドレスに送信する場合は、複合機の操作パネルから宛先を入力しなければならず、例えばメールアドレスを正しく入力する作業はユーザにとって負担になることが多い。そのため、複合機の操作に不慣れなユーザは、宛先を指定するのに時間を要し、またそもそも、どのような操作を行うかがわからないために、登録されていない宛先へのＳＥＮＤ機能を利用できないこともあった。
【０００６】
本発明の目的は、上記従来技術の課題を解決することにある。
【０００７】
本発明の特徴は、情報処理装置で設定した送信設定情報を、実際にデータを送信する画像処理装置に設定することにより、ユーザが画像処理装置の操作部を操作して送信設定情報を設定する手間を省くことができる。
【課題を解決するための手段】
【０００８】
上記目的を達成するために本発明の一態様に係る通信システムは以下のような構成を備える。即ち、
無線通信で通信可能な情報処理装置と画像処理装置とを含む通信システムであって、
前記情報処理装置は、
前記情報処理装置に表示される第１の送信画面において、ユーザからの指示に基づき、データ送信のための宛先情報を設定する設定手段と、
前記画像処理装置と無線通信するための接続情報を前記画像処理装置から取得する取得手段と、
前記取得手段で取得した接続情報を用いて前記無線通信で前記画像処理装置に接続したことに応じて、前記設定手段により設定された前記宛先情報を前記無線通信で前記画像処理装置に送信する第１通信手段と、を有し、
前記画像処理装置は、
前記無線通信で前記情報処理装置と前記画像処理装置とが接続したことに応じて前記情報処理装置から送信された前記宛先情報を、前記無線通信で受信する第２通信手段と、
前記第２通信手段で前記宛先情報を受信した場合、前記画像処理装置におけるデータ送信の宛先を設定するための第２の送信画面を表示するとともに、当該受信した宛先情報に基づく宛先を前記第２の送信画面に設定して表示する表示手段と、を有することを特徴とする。
【発明の効果】
【０００９】
本発明によれば、画像処理装置からデータを送信する際に、簡単に、その送信のための情報を、その画像処理装置に設定できる。
【００１０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１１】
添付図面は明細書に含まれ、その一部を構成し、本発明の実施形態を示し、その記述と共に本発明の原理を説明するために用いられる。
【図１】本発明の実施形態１に係る通信システムの一例を示す図。
【図２】実施形態１に係る複合機１０２のハードウェア構成を説明するブロック図。
【図３】実施形態１に係る携帯端末１０１のハードウェア構成を説明するブロック図。
【図４】実施形態１に係る携帯端末の操作パネルに表示される電子メールの送信設定画面の一例を示す図。
【図５】実施形態１に係る複合機の操作パネルに表示される、スキャンして送信の設定画面例を示す図。
【図６】実施形態１に係る複合機の操作パネルに表示される、スキャンして送信設定情報の受信画面の一例を示す図。
【図７】実施形態１に係る複合機が、電子メール送信設定情報を受け取った時に操作パネルに表示される送信設定画面の一例を示す図。
【図８】実施形態１に係る複合機の操作パネルに表示されるスキャンして送信の件名／本文入力画面の一例を示す図。
【図９】実施形態１に係る複合機の操作パネルに表示されるスキャンして送信の件名と本文の設定画面の一例を示す図。
【図１０】実施形態１に係る複合機の操作パネルに表示される送信設定情報の重複画面の一例を示す図。
【図１１】実施形態１に係る携帯端末がＮＦＣ通信で読み取った情報で複合機と通信して電子メールの送信設定を行う処理を説明するフローチャート。
【図１２】実施形態１に係る複合機が携帯端末から送信設定情報を受信したときの処理を説明するフローチャート。
【図１３】実施形態２に係る複合機が携帯端末から無線ＬＡＮで情報を受信したときの処理を説明するフローチャート。
【図１４】実施形態２に係る複合機の操作パネルに表示される画面の遷移を説明する図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
［実施形態１］
図１は、本発明の実施形態１に係る通信システムの一例を示す図である。
【００１４】
携帯端末１０１は、例えばスマートフォンやタブレット等の携帯端末である。複合機１０２は、スキャン機能やプリント機能、コピー機能等を備えた複合機である。ここで携帯端末１０１、複合機１０２及びアクセスポイント１０３は、それぞれ対応する通信媒体を通じて通信できる。また携帯端末１０１と複合機１０２は、アクセスポイント１０３を介さずに直接通信を行うアドホックモードや、アクセスポイント１０３を介して通信するインフラストラクチャモードでの通信が可能である。図１に示した構成は一般的な構成の一例を示したに過ぎない。そのため、一般ユーザが使用する携帯端末は、その他の情報機器であってもよい。また複合機１０２は、スキャン機能やプリント機能、コピー機能等を備えた複合機に限るものではなく、スキャナ、ＦＡＸなどの単体デバイス（画像処理装置）であってもよい。
【００１５】
図２は、実施形態１に係る複合機１０２のハードウェア構成を説明するブロック図である。
【００１６】
ＣＰＵ２０１は、ＲＯＭ２０２のブートプログラムを実行して、ハードディスク（ＨＤＤ）２１３に記憶されたプログラムをＲＡＭ２０３に展開して実行することにより、システムバス２１６に接続される各部を総括的に制御する。ＲＡＭ２０３は、ＣＰＵ２０１の主メモリ、ワークエリア等として機能する。またＣＰＵ２０１は、近接無線通信である非接触式ＩＣカードリーダライタ（ＮＦＣリーダライタ）２０４、或いはＢｌｕｅｔｏｏｔｈ（登録商標）Ｉ／Ｆ２０５を介して各種周辺機器とデータの授受を行うことができる。無線通信モジュール（ＷＬＡＮ）２０６は、インフラストラクチャモードで動作する場合は、アクセスポイント１０３を介してネットワーク２２０に接続し、他のネットワーク機器或いはファイルサーバ等と双方向にデータをやりとりする。またアドホックモードで動作する場合は、複合機１０２はアクセスポイントとして動作し、携帯端末１０１と直接無線通信を行うことができる。ネットワークＩ／Ｆ２０７は、ネットワーク２２０を介して、他のネットワーク機器やファイルサーバ等と双方向にデータをやりとりする。操作部コントローラ２０８は、複合機１０２に備えられた各種ボタンや操作パネル２０９、表示部２１１等を制御する。ディスクコントローラ２１２は、ＨＤＤ２１３へのアクセスを制御する。プリンタ２１４は、例えば電子写真方式やインクジェット方式のプリンタエンジンを含み、ＣＰＵ２０１により供給される画像データに従ってシートに画像を印刷する。スキャナ２１５は、原稿の画像を光学的に読み取って、その画像に対応する画像データを生成する。多くの場合、スキャナ２１５にはオプションとしてＡＤＦ（自動原稿給紙装置）（不図示）が装着されており、ＡＤＦに装填された複数枚の原稿を一枚ずつ順次給紙して自動的に読み込むことができる。尚、ＨＤＤ２１３は、画像データの一時保存場所としても使用される。
【００１７】
図３は、実施形態１に係る携帯端末１０１のハードウェア構成を説明するブロック図である。尚、実施形態１に係る携帯端末１０１は、例えばスマートフォンやタブレットＰＣ等の装置を想定しているが、携帯可能な情報処理装置であれば他の装置であってもよい。
【００１８】
ＣＰＵ３０７は、ＲＯＭ３０８或いは不揮発メモリ３１０に記憶されているプログラムをＲＡＭ３０９に展開して実行し、携帯端末１０１の動作を制御する。ＲＯＭ３０８は、制御プログラムを記憶している。ＲＡＭ３０９は、ＣＰＵ３０７の主メモリ、ワークエリア等の一時記憶領域として用いられる。不揮発メモリ３１０は、例えばメモリカードやフラッシュメモリ等で、プログラムや写真や電子文書等の様々なデータを記憶する。
【００１９】
操作パネル３０１は、ユーザのタッチ操作を検出できるタッチパネル機能を備え、ＯＳや電子メール送信アプリケーションが提供する各種画面を表示する。ユーザは操作パネル３０１にタッチ操作を入力することで、携帯端末１０１に所望の操作指示を与えることができる。また携帯端末１０１は不図示のハードウェアキーを備えていて、ユーザはこのハードウェアキーを用いて携帯端末１０１に操作指示を入力することができる。
【００２０】
スピーカ３０２とマイク３０３は、ユーザが他の携帯端末や固定電話と電話をする際に使用される。カメラ３０４は、ユーザの撮像指示に応じて撮像を行い、カメラ３０４で撮像された写真の画像データは、不揮発メモリ３１０の所定の領域に記憶される。また携帯端末１０１は、ＮＦＣ通信Ｉ／Ｆ３０５、ＢｌｕｅｔｏｏｔｈＩ／Ｆ３０６、無線ＬＡＮ通信Ｉ／Ｆ３１１を介して各種周辺機器とデータの授受を行うことができる。ＮＦＣ通信Ｉ／Ｆ３０５は、ＮＦＣタグに近づけられると、そのＮＦＣタグに記憶されている情報を取得したり、そのＮＦＣタグに情報を書き込むことができる。無線ＬＡＮ通信Ｉ／Ｆ３１１は、上述のインフラストラクチャモードやアドホックモードで通信を行うことができる。
【００２１】
図４は、実施形態１に係る携帯端末１０１の操作パネル３０１に表示される電子メールの送信設定画面の一例を示す図である。
【００２２】
ユーザは、この電子メール送信設定画面４０５を介して電子メールの送信に必要な情報を入力する。アドレスフィールド４０１は、送信先のメールアドレスを示し、このメールアドレスは、携帯端末１０１に保存されているアドレス帳の中のアドレスを選択して入力できる。またアドレスフィールド４０１、件名フィールド４０２、本文フィールド４０３に、携帯端末１０１のソフトキーボードを使用して、ユーザが任意の文字列を入力できる。これらフィールドはソフトキーボードだけでなく、音声認識等での入力であってもよい。添付書類フィールド４０６は、この電子メールに添付するファイルを指定するのに使用される。これら入力が完了した後、ユーザが完了ボタン４０４を押下すると、電子メールの送信設定が完了する。
【００２３】
次に実施形態１に係る複合機１０２におけるユーザインターフェースを説明する。
【００２４】
図５は、実施形態１に係る複合機１０２の操作パネル２０９に表示されるスキャンして送信の設定画面例を示す図である。
【００２５】
図５の送信設定画面５０１は、宛先とスキャンの設定を行う画面である。宛先リスト５０２は、送信先として設定された宛先をリストで表示する。宛先は、電子メール、ＦＡＸ、サーバ等のアドレスである。図５では、宛先リスト５０２は送信先が未設定の状態を示している。スキャン設定ボタン５０３は、その時点で設定されているスキャン設定を示し、ユーザは、この画面を介してスキャン設定を変更することができる。詳細情報ボタン５０５が押下されると、宛先リスト５０２で選択された宛先の詳細情報を表示する画面に遷移する。宛先削除ボタン５０６が押下されると、宛先リスト５０２で選択された宛先が削除される。その他の設定ボタン５０７が押下されると、送信内容を変更するメニュー一覧の画面（不図示）が表示され、そのメニュー一覧から件名／本文が指定されると図８に示すスキャンして送信の件名／本文入力画面８０１に遷移する。
【００２６】
図８は、実施形態１に係る複合機１０２の操作パネル２０９に表示されるスキャンして送信の件名／本文入力画面８０１の一例を示す図である。
【００２７】
ここでは件名を入力する件名フィールド８０２、本文を入力する本文フィールド８０３が表示されており、ユーザは操作パネル２０９に表示されたソフトキーボードを使用して、これらフィールドに任意の文字列を入力できる。
【００２８】
また図５の設定画面５０１のモバイルから宛先指定ボタン５０８が押下されると、図６に示す、スキャンして送信設定情報の受信画面６２１に遷移し、携帯端末１０１から無線ＬＡＮ接続の受信待機状態になる。
【００２９】
図６は、実施形態１に係る複合機１０２の操作パネル２０９に表示されるスキャンして送信設定情報の受信画面６２１の一例を示す図である。
【００３０】
ユーザメッセージ６２３に、複合機１０２のＮＦＣリーダライタ２０４（ＮＦＣタグ）に、ユーザの携帯端末１０１をタッチするように指示するメッセージを表示する。ここでユーザが中止ボタン６２２を押下すると、受信待機状態を中断して送信画面に戻る。
【００３１】
次に、実施形態１に係る複合機１０２が、無線ＬＡＮで携帯端末１０１から電子メール送信情報を受信した後に表示する画面を図７及び図９を参照して説明する。
【００３２】
このとき携帯端末１０１は、例えば図４で示す電子メール送信の設定画面を表示している状態で、複合機１０２のＮＦＣリーダライタ２０４にタッチされる。これにより複合機１０２と携帯端末１０１は、無線ＬＡＮ通信を開始する。この無線ＬＡＮ通信の確立には、ＮＦＣでなく、例えば２次元コードやＢｌｏｕＴｏｏｔｈを介して受信した接続情報を用いてもよい。無線ＬＡＮ通信を開始すると即座に、複合機１０２は携帯端末から電子メール送信設定情報を受信する。
【００３３】
図７は、実施形態１に係る複合機１０２が、電子メール送信設定情報を受け取った時に操作パネル２０９に表示される送信設定画面の一例を示す図である。図７では図５と共通する部分は同じ符号で示している。
【００３４】
ここでは宛先リスト５０２に、取得した電子メールアドレスが表示されており、ここでは２つの宛先が表示されている。ここでその他の設定ボタン５０７が押下され、メニュー一覧（不図示）から件名／本文が押下されると、図９に示す、スキャンして送信の件名／本文設定画面９０１を表示する。このとき携帯端末１０１から受信した電子メール送信設定情報の中から件名を件名フィールド９０２へ表示し、本文を本文フィールド９０３に表示する。
【００３５】
図９は、実施形態１に係る複合機１０２の操作パネル２０９に表示されるスキャンして送信の件名と本文の設定画面９０１の一例を示す図である。
【００３６】
複合機１０２の送信設定画面で、操作パネル２０９を使って送信設定（例えばアドレスの設定）をしている状態で、上述したＮＦＣリーダライタ２０４へのタッチで携帯端末１０１から電子メール送信情報を受信する場合もある。その場合は、例えば図１０に示す送信設定情報の重複画面１０３１を表示する。
【００３７】
図１０は、実施形態１に係る複合機１０２の操作パネル２０９に表示される送信設定情報の重複画面１０３１の一例を示す図である。
【００３８】
ユーザメッセージ１０３２は、携帯端末１０１から受信した電子メール送信設定の情報を反映するかどうかの判断指示を表示する。ここで、はいボタン１０３３が押下されると、送信画面に設定していた情報を破棄して、携帯端末１０１から受信した電子メール送信情報を送信画面に設定する。一方、いいえボタン１０３４が押下されると、携帯端末１０１から受信した電子メール送信情報を破棄する。
【００３９】
次に実施形態に係る携帯端末１０１において、電子メール送信情報の入力と複合機１０２に送信する処理の流れについて図１１を参照して説明する。
【００４０】
図１１は、実施形態１に係る携帯端末１０１がＮＦＣ通信で読み取った情報で複合機１０２と通信して電子メールの送信設定を行う処理を説明するフローチャートである。尚、この処理を実行するプログラムはＲＯＭ３０８に記憶されており、ＣＰＵ３０７がそのプログラムを実行することにより、このフローチャートで示す処理が達成される。
【００４１】
まずＳ１１０１でＣＰＵ３０７は、例えば図４に示す送信設定画面を操作パネル３０１に表示する、ここでユーザは、この画面を介して、アドレス帳から宛先を選択するなどして送信設定情報を入力するとＣＰＵ３０７は、その送信設定情報を取得する。この送信設定情報には、宛先のアドレス、件名、本文等のデータが含まれている。
【００４２】
次にＳ１１０２に進みＣＰＵ３０７は、この画面で完了ボタン４０４が押下されるのを待ち、完了ボタン４０４が押下されるとＳ１１０３に進んで、携帯端末１０１をＮＦＣによる送信待ちの待機状態にする。このとき複合機１０２は、インフラストラクチャモードで動作してＳＳＩＤを生成し、そのＳＳＩＤとパスワードをＮＦＣリーダライタ２０４に用意している。
【００４３】
次にＳ１１０４に進みＣＰＵ３０７は、複合機１０２のＮＦＣリーダライタ２０４にタッチしたことを検知するのを待つ。そしてＣＰＵ３０７は、ＮＦＣリーダライタ２０４にタッチしたことを検知するとＳ１１０５に進み、ＣＰＵ３０７は、ＮＦＣリーダライタ２０４からＳＳＩＤを取得してハンドオーバーを実行する。そしてＳ１１０６に進みＣＰＵ３０７は、ＮＦＣで読み取った接続情報を使用して、複合機１０２との間で無線ＬＡＮ通信を開始する。次にＳ１１０７に進みＣＰＵ３０７は、Ｓ１１０１で設定した送信設定情報を複合機１０２に送信して、この処理を終了する。
【００４４】
以上説明したように実施形態１に係る携帯端末１０１によれば、携帯端末１０１で設定した送信設定情報を複合機に送信して設定することができる。これにより複合機を使用したいユーザは、複合機の操作パネルから宛先等を入力する必要がなくなり、複合機の操作に不案内なユーザでも、容易に複合機に送信設定情報を設定することができる。
【００４５】
図１２は、実施形態１に係る複合機１０２が携帯端末１０１から送信設定情報を受信したときの処理を説明するフローチャートである。尚、この処理を実行するプログラムはＨＤＤ２１３に記憶されており、実行時、ＣＰＵ２０１がそのプログラムをＲＡＭ２０３に展開して実行することにより、このフローチャートで示す処理が達成される。
【００４６】
Ｓ１２０１でＣＰＵ２０１は、例えば図６に示す送信設定情報の受信待ち画面６２１を表示している状態で、携帯端末１０１から無線ＬＡＮ経由で電子メールの送信設定情報を受信するのを待つ。そしてＳ１２０２でＣＰＵ２０１は、携帯端末１０１から無線ＬＡＮ経由で受信があるとＳ１２０３に進む。Ｓ１２０３でＣＰＵ２０１は、携帯端末１０１から無線ＬＡＮ経由で受信したデータを取得する。次にＳ１２０４に進みＣＰＵ２０１は、その受信したデータに、携帯端末１０１が設定した送信設定情報が含まれているかどうかを判定する。ここで送信設定情報が含まれていないときはＳ１２０７に進むが、送信設定情報が含まれていればＳ１２０５に進む。
【００４７】
Ｓ１２０５でＣＰＵ２０１は、例えば前述の図１０に示す画面を表示して、ユーザに、携帯端末１０１から受信した送信設定情報で更新するかどうか問い合わせる。そしてＳ１２０６に進み、この画面でユーザによる操作がなされたかどうかを判定し、はいボタン１０３３が押下されたときはＳ１２０７に進むが、いいえボタン１０３４が押下されたときはＳ１２１４に進む。Ｓ１２０７でＣＰＵ２０１は、送信画面に、宛先、件名・本文を設定してＳ１２０８に進む。一方、Ｓ１２１４ではＣＰＵ２０１は、携帯端末１０１から受信した電子メール送信設定情報を破棄して、この処理を終了する。
【００４８】
Ｓ１２０８でＣＰＵ２０１は、ユーザが操作パネル２０９のスタートキー（不図示）を押下するのを待ち、スタートキーが押下されるとＳ１２０９に進む。Ｓ１２０９でＣＰＵ２０１は、スキャナ２１５により原稿の読み取りを実行して、読み取ったデータのファイルを作成する。次にＳ１２１０に進みＣＰＵ２０１は、送信設定情報に添付ファイル名があるかどうかを判定し、添付ファイル名があるときはＳ１２１１に進み、スキャンして得られたファイルに、その添付ファイル名を設定してＳ１２１３に進む。一方、Ｓ１２１０でＣＰＵ２０１が、送信設定情報に添付ファイル名が無いと判定するとＳ１２１２に進み、スキャンして得られたファイルに添付ファイル名を自動設定し、そのファイルを添付してＳ１２１３に進む。Ｓ１２１３でＣＰＵ２０１は、送信先に設定されているアドレスに、添付ファイル付の電子メールを送信する。
【００４９】
以上説明したように実施形態１に係る複合機１０２によれば、携帯端末１０１で入力した宛先、件名、本文データ、添付ファイル名等を携帯端末１０１から受信して複合機１０２の送信設定情報として設定することができる。これによりユーザは、複合機１０２の操作パネル２０９を操作して宛先や本文などを入力する煩わしい操作をすることなく、簡単に、指定した宛先にデータを送信できる。
【００５０】
［実施形態２］
上述の実施形態１では、複合機１０２が送信設定情報の受信画面を表示している状態で携帯端末１０１と無線ＬＡＮで接続されると、複合機１０２が携帯端末１０１から送信設定情報を受信し、それを複合機１０２の送信設定情報とする例で説明した。しかし複合機１０２は、送信設定情報の受信画面を表示していない場合でも、携帯端末１０１から電子メールの送信設定情報を受信してもよい。そこで実施形態２では、その場合について説明する。尚、実施形態２に係る通信システムの構成及び携帯端末１０１、複合機１０２のハードウェア構成等は前述の実施形態１の場合と同じであるため、その説明を省略する。
【００５１】
図１３は、実施形態２に係る複合機１０２が携帯端末１０１から無線ＬＡＮで情報を受信したときの処理を説明するフローチャートである。尚、この処理を実行するプログラムはＨＤＤ２１３に記憶されており、実行時、ＣＰＵ２０１がそのプログラムをＲＡＭ２０３に展開して実行することにより、このフローチャートで示す処理が達成される。
【００５２】
携帯端末１０１が、ＮＦＣを介して受信した接続情報で無線ＬＡＮ接続を開始しており、Ｓ１３０１でＣＰＵ２０１は、携帯端末１０１から情報を受信するのを待つ。Ｓ１３０１で情報を受信するとＳ１３０２に進みＣＰＵ２０１は、無線ＬＡＮ経由で携帯端末１０１から受信した情報を取得する。次にＳ１３０３に進みＣＰＵ２０１は、受信した情報が電子メールの送信設定情報かどうかを判定する。ここで電子メールの送信設定情報の場合はＳ１３０４に進み、操作パネル２０９に表示されている画面が送信画面かどうかを判定するが、Ｓ１３０３で送信設定情報でないと判定したときはＳ１３１５に進む。
【００５３】
Ｓ１３０４でＣＰＵ２０１は、送信画面を表示中であると判定した場合はＳ１３０６に進み、送信画面を表示中でないと判定した場合はＳ１３０５に進む。Ｓ１３０５で、例えば図１４で示すメインメニュー１４０１を表示している場合は、ＮＦＣリーダライタ２０４へのタッチでハンドオーバーして送信情報を受信すると、図１４に示す送信画面１４０４に自動遷移してＳ１３０６に進む。
【００５４】
図１４は、実施形態２に係る複合機１０２の操作パネル２０９に表示される画面の遷移を説明する図である。
【００５５】
送信画面１４０３は、メインメニューにあるスキャンして送信ボタン１４０２が押下されたときに表示される画面である。送信画面１４０４は、携帯端末１０１を複合機１０２のＮＦＣリーダライタ２０４にタッチすることにより、携帯端末１０１から送信設定情報を受信した時に自動的に表示する画面例を示す。
【００５６】
Ｓ１３０６でＣＰＵ２０１は、送信画面の宛先リストに、受信した電子メールの送信設定情報に設定されている電子メールアドレスを設定して表示する。次にＳ１３０７に進みＣＰＵ２０１は、受信した電子メールの送信設定情報に、件名と本文があるかどうかを判別し、ある場合にはＳ１３０８に進み、その送信設定情報に含まれている件名と本文を、電子メールの送信設定情報として保持してＳ１３０９に進む。Ｓ１３０９でＣＰＵ２０１は、操作パネル２０９のスタートキー（不図示）が押下されたかどうかを判定し、スタートキーが押下されるとＳ１３１０に進む。Ｓ１３１０でＣＰＵ２０１は、図１２のＳ１２０９と同様に、ＣＰＵ２０１はスキャナ２１５により原稿を読み取るスキャン処理を実行する。そして、その読み取って得られた画像データのファイルを作成する。そして図１２のＳ１２１０〜Ｓ１２１３と同様に、Ｓ１３１１〜Ｓ１３１４で、そのファイルのファイル名を設定し、ファイルを添付して、送信先に設定されているアドレスに電子メールとして送信する。
【００５７】
またＳ１３０３で、携帯端末１０１から受信した情報が電子メールの送信設定情報でないときはＳ１３１５に進み、受信した情報に基づく処理を実行する。例えば、Ｓ１３０２で取得した情報が印刷データであれば、Ｓ１３１５で印刷を実行することになる。
【００５８】
以上説明したように実施形態２によれば、複合機１０２の操作パネル２０９でアドレスや本文を入力する煩わしい操作をすることなく、簡単に電子メールの宛先や送信情報を設定して電子メールを送信することができる。
【００５９】
さらに無線通信の開始を、二次元コードやＮＦＣを使うことで、ユーザが複合機１０２の前にいることが保障されるため、セキュリティ向上もできる。
【００６０】
また複合機１０２のメニュー画面から送信画面への遷移が、メニューからのボタン操作か、ＮＦＣによる操作かに応じて自動的に切り替わるため、ユーザはスタートボタンを押下するだけで送信操作を行うことができる。これにより、ユーザによる送信設定のための操作を簡略化して、操作性を高めることができる。
【００６１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６２】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００６３】
１０１…携帯端末、１０２…複合機１０２、１０３…アクセスポイント、２０１…ＣＰＵ、２０４…ＮＦＣリーダライタ、２０５…ＢｌｕｅＴｏｏｔｈＩ／Ｆ、２０６…ＷＬＡＮ、２０９…操作パネル、２１１…表示部、２１５…スキャナ、３０７…ＣＰＵ
【図１】
0006544976.tif 000002
【図２】
0006544976.tif 000003
【図３】
0006544976.tif 000004
【図４】
0006544976.tif 000005
【図５】
0006544976.tif 000006
【図６】
0006544976.tif 000007
【図７】
0006544976.tif 000008
【図８】
0006544976.tif 000009
【図９】
0006544976.tif 000010
【図１０】
0006544976.tif 000011
【図１１】
0006544976.tif 000012
【図１２】
0006544976.tif 000013
【図１３】
0006544976.tif 000014
【図１４】
0006544976.tif 000015